(57)【要約】【課題】外壁の内部が負圧となることを防止する。【解決手段】固定枠１１と、固定枠１１に取り付けられ、後方へ向かって下向きに形成されるフード１２と、これらの内部を上下に分ける第一仕切板２５と第二仕切板２６とからなる仕切板１３を有する。第一仕切板２５の前側板部２５ｂが固定枠１１の底板部１１ｃに接し、第二仕切板２６の後側板部２６ｂがフード１２の底板部２２に接する状態で固定される。固定枠１１の底板部１１ｃに流出口１６が形成され、フード１２の底板部２２に流入口２３が形成される。固定枠１１及びフード１２の内部において、流入口２３から仕切板１３とフード１２の底板部２２との間、仕切板１３と固定枠１１の底板部１１ｃとの間を経て、流出口１６に至る吸気通路３０が形成される。【選択図】図１
2017078552.tif 000002
【特許請求の範囲】
【請求項１】
外壁の換気口の周縁に取り付けられ、天板部、底板部及び左右の側板部を有する固定枠と、その固定枠に取り付けられ、後方へ向かって下向きに形成されるフードとを備え、
前記フードが、天板部、底板部及び左右の側板部を有し、前記フードの前端部の内部が前記固定枠の後端部の内部に連通するウェザーカバーであって、
前記固定枠及び前記フードの内部を上下に分ける仕切板を有し、前記仕切板は、その前側板部が前記固定枠の底板部に接する状態で固定されており、前記固定枠は、その底板部に形成され、前記外壁の内側に位置する流出口を有し、前記固定枠及び前記フードの内部に、前記仕切板と前記フードの底板部との間から前記仕切板と前記固定枠の底板部との間を経て、前記流出口に至る吸気通路を有するウェザーカバー。
【請求項２】
前記仕切板の後側板部が、前記フードの底板部に接する状態で固定されており、前記フードの底板部に流入口を有し、その流入口が前記吸気通路に連通する請求項１に記載のウェザーカバー。
【請求項３】
前記仕切板の前側板部が、前方に向かって下向きに傾斜する状態である請求項１または２に記載のウェザーカバー。
【発明の詳細な説明】
【技術分野】
【０００１】
この発明は、建物の外壁に設けられる換気口の周りに固定される固定枠と、その固定枠に取り付けられ、換気口内への雨水の侵入を防ぐ枠体とを備えるウェザーカバーに関する。
【背景技術】
【０００２】
従来、建物において室内の換気あるいは外壁と内壁との間の換気を目的として、外壁に換気口が設けられている。その換気口から室内あるいは壁体内への雨水の浸入を防止するために、換気口にウェザーカバーが装着するのが一般的である。
【０００３】
このウェザーカバーは、換気口の周囲を囲むように外壁に取り付けられる固定枠と、固定枠に形成される筒状の枠体とを備え、固定枠を外壁の換気口の周縁に固定し、換気口と枠体の内部とを連通させたものが知られている（例えば、特許文献１参照）。
【０００４】
特許文献１に記載のウェザーカバーの枠体は、湾曲する天板、両側板、及び下板とからなる断面矩形の筒状に形成され、外壁の換気口に一方の開口部が対向し、他方の開口部が下方を向くように湾曲している。
【０００５】
固定枠は、天板及び両側板の一方の開口部側の端部に形成された各フランジを有し、枠体の一方の開口部が建物外壁の換気口に対向し、他方の開口部が下方を向く状態で、換気口の周囲に固定枠が取り付けられる。
【先行技術文献】
【特許文献】
【０００６】
【特許文献１】特開２００５−２６５２３９号公報
【発明の概要】
【発明が解決しようとする課題】
【０００７】
ところで、換気口の内側には換気扇が設置されており、その換気扇の運転により、室内から換気口を経て、特許文献１に記載のウェザーカバーを介して、屋外に排気している。
【０００８】
換気扇の連続運転によって、室内が排気され続けると、次第に室内が負圧となる。負圧となった室内からさらに排気することは、換気扇に対して過大な負荷が掛かるという問題があった。
【０００９】
室内が負圧となることを防止するために、例えば、別途、吸気用の換気口を設けたり、屋外から室内へ空気を導入する吸気ファンを備えた吸気口を設けたりすることが考えられる。しかし、新たな換気口や、吸気ファンを備えた吸気口の設置スペースの確保が難しい場合があり、また、別途、設置コストが必要となっていた。
【００１０】
そこで、この発明の課題は、外壁の内部が負圧となることを防止するウェザーカバーを提供することである。
【課題を解決するための手段】
【００１１】
前記の課題を解決するために、この発明に係るウェザーカバーは、外壁の換気口の周縁に取り付けられ、天板部、底板部及び左右の側板部を有する固定枠と、その固定枠に取り付けられ、後方へ向かって下向きに形成されるフードとを備え、前記フードが、天板部、底板部及び左右の側板部を有し、前記フードの前端部の内部が前記固定枠の後端部の内部に連通するウェザーカバーであって、前記固定枠及び前記フードの内部を上下に分ける仕切板を有し、前記仕切板は、その前側板部が前記固定枠の底板部に接する状態で固定されており、前記固定枠は、その底板部に形成され、前記外壁の内側に位置する流出口を有し、前記固定枠及び前記フードの内部に、前記仕切板と前記フードの底板部との間から前記仕切板と前記固定枠の底板部との間を経て、前記流出口に至る吸気通路を有する構成を採用することができる。
【００１２】
この構成によると、固定枠及びフードの内部を上下に分ける仕切板部により、固定枠及びフードの内部に吸気通路が形成されるので、外壁の外側の空気を吸気通路から流出口を通じて外壁の内部に導き入れることができる。
【発明の効果】
【００１３】
この発明のウェザーカバーは、外壁の内部の空気が排出されると、外壁の外側の空気が吸気通路から流入口を通って外壁の内部に導入されるので、外壁の内部が負圧になることを防止でき、外壁内部から排気するための排気ファンに過大な負荷が掛かることを防止できる。
【図面の簡単な説明】
【００１４】
【図１】この発明に係る実施形態のウェザーカバーを示す縦断面図
【図２】同上のウェザーカバーを上方から見た一部切り欠き斜視図
【図３】同上のウェザーカバーの要部拡大縦断面図
【図４】同上のウェザーカバーを下方から見た斜視図
【図５】図１のＡ−Ａ線における断面図
【図６】同上のウェザーカバーの使用状態を示す縦断面図
【発明を実施するための形態】
【００１５】
以下、この発明の第一の実施形態に係るウェザーカバーを図面に基づいて説明する。このウェザーカバー１０は、図１〜図６に示すように、外壁の換気口に取り付けられる固定枠１１と、固定枠１１に取り付けられるフード１２と、固定枠１１及びフード１２の内部を上下に分ける仕切板１３とを備えたものである。
【００１６】
固定枠１１は、図１、２に示すように、天板部１１ａ、左右の側板部１１ｂ、１１ｂ及び底板部１１ｃにより断面矩形の筒状に形成される。固定枠１１の前端部（図１中での右側端部）の全周に、内向きの固定フランジ１４が形成される（図４参照）。また、固定枠１１の後端部（図１中での左側端部）の全周に、内向きの固定フランジ１５が形成されている。
【００１７】
ここで、前後及び左右とは、固定枠１１が取り付けられた外壁Ｗの外側から換気口に正対した状態での、前後及び左右を意味する。
【００１８】
底板部１１ｃは、前側部分に流出口１６が形成されている。図２に示すように、流出口１６は、矩形に開口し、底板部１１ｃの左右方向両側部にまで達する。流出口１６の周縁部には、フィルタ枠１７が取り付けられている。
【００１９】
フィルタ枠１７は、矩形の枠体であり、上端部の全周に形成される外向きのフランジ部１７ａと、下端部の開口を覆うように取り付けられた金網からなるフィルタ１７ｂとを有する。フィルタ枠１７は、固定枠１１の内部から流出口１６の周縁部にフランジ部１７ａが係止する状態で嵌められる。
【００２０】
フード１２は、図１に示すように、後方に向かって下向きに延びる天板部２０、左右の側板部２１、２１及び底板部２２により断面矩形の筒状に形成される。フード１２の前端部の全周に外向きの固定フランジ１８が形成される（図２参照）。
【００２１】
また、フード１２は、前端部が矩形に開口し、その開口縁部が、固定枠１１の固定フランジ１５の内縁部よりも内側となる状態で、固定枠１１に固定される。フード１２の固定枠１１に対する固定は、フード１２の固定フランジ１８に、固定枠１１の固定フランジ１５を突き合わせ、既存のボルト、ナットによりなされる。
【００２２】
フード１２は、後端部が矩形に開口し、その開口を閉塞するフィルタ枠１９が取り付けられる。フィルタ枠１９は、断面Ｌ字状のアングル枠を矩形に組み合わせたものであり、その内部に金網からなるフィルタ１９ａが取り付けられている。
【００２３】
フード１２の天板部２０は、固定枠１１の天板部１１ａと平行である前端部から後方へ向かって下向きに湾曲する湾曲部を経て、後方に向かって下向きに傾斜する後端部とから形成される。
【００２４】
左右の側板部２１、２１は、天板部２０の左右方向両側端から下向きに延びて形成される。側板部２１の前端縁は、図５に示すように、固定枠１１の固定フランジ１５よりも内側に位置する。底板部２２は、固定枠１１の底板部１１ｃに対して平行な前側板部２２ａと、前側板部２２ａから後方に向かって下向きに傾斜する後側板部２２ｂとを有する。
【００２５】
底板部２２の前側板部２２ａの中央に矩形の流入口２３を有する。流入口２３は、その前後方向両縁部が前側板部２２ａの前後方向両端部と平行であり、左右方向両縁部も前側板部２２ａの左右方向両端部と平行となっている。
【００２６】
図５に示すように、流入口２３の左縁部（右縁部）と前側板部２２ａの左端部（右端部）との間隔が、流入口２３の前縁部（後縁部）と前側板部２２ａの前端部（後端部）との間隔よりも広く形成されている。これにより、フード１２の左右の側板部２１、２１を伝って下方に移動する雨や異物が流入口２３から侵入し難くなる。
【００２７】
流入口２３の周縁部には、フィルタ枠２４が取り付けられている。フィルタ枠２４は、矩形の枠体であり、上端部の全周に形成される外向きのフランジ部２４ａと、下端部を覆うように取り付けられた金網からなるフィルタ２４ｂとを有する。フィルタ枠２４は、フード１２の内部から、流入口２３の周縁部にフランジ部２４ａが係止する状態で嵌められる。
【００２８】
仕切板１３は、図１に示すように、固定枠１１の内部を上下に分ける第一仕切板２５と、フード１２の内部を上下に分ける第二仕切板２６とから構成される。
【００２９】
第一仕切板２５は、固定枠１１内の下部に位置し、固定枠１１の底板部１１ｃの上方に配置されている。第一仕切板２５は、固定枠１１の底板部１１ｃに平行な平板部２５ａと、平板部２５ａの前側縁から前方に向かって下向きに傾斜する前側板部２５ｂとから形成される。
【００３０】
平板部２５ａは、矩形をなし、その左右方向両端部が固定枠１１の左右の側板部１１ｂにそれぞれ固定され、後端縁の左右両側部分が、固定枠１１の固定フランジ１５に突き当たる状態となっている。
【００３１】
平板部２５ａの固定枠１１の内部での上下方向の位置は、固定枠１１内の上方において、外壁の内側の空気排出量を確保可能な限り、任意に設定可能である。例えば、固定枠１１の底板部１１ｃとの間隔が、固定枠１１の天板部１１ａと底板部１１ｃとの間隔の約１／５となるように設定してもよい。
【００３２】
前側板部２５ｂは、矩形をなし、その左右方向両端部が固定枠１１の左右の側板部１１ｂにそれぞれ固定されている。前側板部２５ｂは、左右方向全長にわたって下方に折れ曲がる前端片２５ｃを有する。
【００３３】
また、前側板部２５ｂは、図３に示すように、前端片２５ｃが左右方向全長にわたり固定枠１１の固定フランジ１４に対向する。前端片２５ｃは、その左右方向全長において固定枠１１の底板部１１ｃに接した状態で、固定フランジ１４の下端部に固定される。
【００３４】
第二仕切板２６は、フード１２の底板部２２の前側板部２２ａに平行な平板部２６ａと、平板部２６ａの後側縁から後方に向かって下向きに延びる後側板部２６ｂと、平板部２６ａの前端部に固定され、前方に延びる矩形の接続片２６ｃとから形成される。
【００３５】
平板部２６ａは、矩形をなし、その左右方向両端部がフード１２の左右の側板部２１、２１にそれぞれ固定される。平板部２６ａの前端縁の左右両側部分は、フード１２の固定フランジ１８に突き当たる状態となっている。
【００３６】
後側板部２６ｂは、矩形をなし、その左右方向両端部がフード１２の左右の側板部２１、２１にそれぞれ固定されている。後側板部２６ｂは、左右方向全長にわたって後方に向かって下方に傾斜して折れ曲がる後端片２６ｄを有する。
【００３７】
後端片２６ｄは、フード１２の底板部２２の後側板部２２ｂに沿って対向している。また、後端片２６ｄは、前記後側板部２２ｂに対して左右方向全長にわたって接する状態で、その後側板部２２ｂに対して固定されている。
【００３８】
接続片２６ｃは、平板部２６ａの左右方向全長にわたって、その下側に重ねた状態で固定されている。接続片２６ｃは、フード１２の固定フランジ１８に固定枠１１の固定フランジ１５を突き合わせ、固定枠１１にフード１２が固定されたとき、第一仕切板２５の平板部２５ａの下側に差し込まれた状態となる。
【００３９】
この状態で、第一仕切板２５と第二仕切板２６とにより仕切板１３が構成される。この仕切板１３により、固定枠１１及びフード１２の内部の下方に吸気通路３０が形成される。
【００４０】
吸気通路３０は、固定枠１１及びフード１２の内部において、流入口２３から仕切板１３とフード１２の底板部２２との間、仕切板１３と固定枠１１の底板部１１ｃとの間を経て、流出口１６に至るものである。
【００４１】
この実施形態のウェザーカバー１０は上記のように構成される。続いて、この実施形態のウェザーカバー１０の使用状態を図面に基づいて説明する。
【００４２】
使用前のウェザーカバー１０は、固定枠１１とフード１２とが分離した状態で、倉庫などに保管されている。そして、現場に搬送されたウェザーカバー１０の固定枠１１を、建物の外壁Ｗの内側から換気口に差し込む。このとき、固定枠１１の流出口１６が下方を向く状態で、外壁Ｗの内側となるように配置される。
【００４３】
その後、外壁Ｗの外側から、第二仕切板２６の接続片２６ｃを第一仕切板２５の平板部２５ａの下側に差し込みつつ、固定枠１１の固定フランジ１５にフード１２の固定フランジ１８を突き合わせる。そして、固定フランジ１５、１８同士を既存のボルト、ナットにより結合し、固定枠１１とフード１２を一体化する。
【００４４】
さらに、図６に示すように、固定枠１１とフード１２が一体化したウェザーカバー１０に、固定枠１１の固定フランジ１４を介して排気ファン４０を備えた排気装置（図示省略）を取り付ける。
【００４５】
上述のように、外壁Ｗの換気口に取り付けられたウェザーカバー１０は、固定枠１１及びフード１２の内部の下方に吸気通路３０を有する。このため、排気ファン４０の運転により、外壁Ｗの内部の空気が排出されると、空気排出量に応じて、外壁Ｗの外側の空気が流入口２３から吸い込まれ、吸気通路３０を通り流出口１６から外壁Ｗの内部に導入される。
【００４６】
外壁Ｗの内部の空気の排出量に応じて、外壁Ｗの外側の空気が外壁Ｗの内部に導入されることから、外壁Ｗの内部が負圧になることを防止でき、外壁内部を排気する排気ファンに過大な負荷が掛かることを防止できる。
【００４７】
また、この実施形態のウェザーカバー１０は、固定枠１１及びフード１２の内部の下方に吸気通路３０を有する。このため、既存のウェザーカバーと交換することで、容易に外壁Ｗの外側の空気を外壁Ｗの内部に導入することが可能となる。
【００４８】
さらに、第一仕切板２５の前側板部２５ｂが前方に向かって下向きに傾斜している。傾斜する第一仕切板２５の前側板部２５ｂに沿って、外壁Ｗの内部から排出される空気は、後方に向かって上向きへと移動することとなる。このため、外壁の内部からの空気の排出を円滑に行いつつ、吸気通路から流出口を通じて外壁Ｗの内部に空気を導入することができる。
【００４９】
また、第二仕切板２６の後側板部２６ｂが、フード１２の底板部２２の後側板部２２ｂに接する状態で固定され、流入口２３がフード１２の底板部２２に形成されているので、流入口２３がフード１２の下部に位置することになり、流入口２３から吸気通路３０内への雨水や異物の侵入を防止することができる。
【００５０】
また、吸気通路３０は、外壁Ｗの外側へ排出される空気の通路となる固定枠１１及びフード１２の内部上方に対して独立している。このため、外壁Ｗの外側へ排出される空気と、外壁Ｗの内部に導かれる空気との混合を抑制することができる。
【００５１】
なお、吸気通路３０は、フード１２の底板部２２に流入口２３を形成せずに、第二仕切板２６の後側板部２６ｂと、フード１２の底板部２２とを上下方向に離れた状態としてもよい。
【００５２】
すなわち、吸気通路３０を第二仕切板２６とフード１２の底板部２２との間から、第一仕切板２５と固定枠１１の底板部１１ｃとの間を経て流出口１６に至るようにしてもよい。
【符号の説明】
【００５３】
１０  ウェザーカバー
１１  固定枠
１１ａ  天板部
１１ｂ  側板部
１１ｃ  底板部
１２  フード
１３  仕切板
１４  固定フランジ
１５  固定フランジ
１６  流出口
１７  フィルタ枠
１７ａ  フランジ部
１７ｂ  フィルタ
１８  固定フランジ
１９  フィルタ枠
１９ａ  フィルタ
２０  天板部
２１  側板部
２２  底板部
２２ａ  前側板部
２２ｂ  後側板部
２３  流入口
２４  フィルタ枠
２４ａ  フランジ部
２４ｂ  フィルタ
２５  第一仕切板
２５ａ  平板部
２５ｂ  前側板部
２５ｃ  前端片
２６  第二仕切板
２６ａ  平板部
２６ｂ  後側板部
２６ｃ  接続片
２６ｄ  後端片
３０  吸気通路
４０  排気ファン
Ｗ  外壁
【図１】
2017078552.tif 000003
【図２】
2017078552.tif 000004
【図３】
2017078552.tif 000005
【図４】
2017078552.tif 000006
【図５】
2017078552.tif 000007
【図６】
2017078552.tif 000008